(57)【特許請求の範囲】
【請求項１】
携帯電話網に対する通話処理を実行する携帯電話インタフェースおよび無線ＬＡＮに対する通話処理を実行する無線ＬＡＮインタフェースを備える携帯電話端末であって、
前記携帯電話インタフェースによる発信処理時に、一旦発信を保留し、前記無線ＬＡＮインタフェースの起動の有無を判定する起動有無判定手段と、
発信先の携帯電話端末の無線ＬＡＮインタフェースの起動状態を判定する起動状態判定手段と、
自機の無線ＬＡＮインタフェースが起動し、且つ、前記発信先の携帯電話端末の無線ＬＡＮインタフェースが起動している場合、前記無線ＬＡＮインタフェースによる発信に切り換える切換手段と、
を有し、
前記切換手段は、前記起動有無判定手段により自機の無線ＬＡＮインタフェースの起動が確認され、且つ、前記起動状態判定手段により前記発信先の無線ＬＡＮインタフェースの起動が確認された場合、前記無線ＬＡＮインタフェースによる発信に切り換えるか否かを問うメッセージを表示し、前記表示されたメッセージに対してユーザ操作によって前記無線ＬＡＮインタフェースによる発信への切り換えが指示された場合、前記無線ＬＡＮインタフェースによる発信に切り換え、自機の無線ＬＡＮインタフェースの起動が確認されない場合、前記発信先の無線ＬＡＮインタフェースの起動が確認されない場合、及び前記表示されたメッセージに対してユーザ操作によって前期無線ＬＡＮインタフェースによる発信への切り換えが指示されない場合、前記携帯電話インタフェースが前記保留された発信を再開することを特徴とする携帯電話端末。
【請求項２】
前記起動状態判定手段は、前記発信先の携帯電話端末に無線ＬＡＮインタフェースの起動状態を問い合わせることで前記発信先の無線ＬＡＮインタフェースの起動状態を判定することを特徴とする請求項１に記載の携帯電話端末。
【請求項３】
前記起動状態判定手段は、発信処理時に、発信先の携帯電話端末の無線ＬＡＮインタフェースの起動状態を確認するか否かを問うメッセージを表示し、前記表示されたメッセージに対してユーザ操作によって前記発信先の無線ＬＡＮインタフェースの起動状態の確認が指示された場合、発信先の携帯電話端末の無線ＬＡＮインタフェースの起動状態を判定することを特徴とする、請求項１又は２に記載の携帯電話端末。
【請求項４】
携帯電話網に対する通話処理を実行する携帯電話インタフェースおよび無線ＬＡＮに対する通話処理を実行する無線ＬＡＮインタフェースを備える携帯電話端末の制御方法であって、
起動有無判定手段が、前記携帯電話インタフェースによる発信処理時に、一旦発信を保留し、前記無線ＬＡＮインタフェースの起動の有無を判定するステップと、
起動状態判定手段が、発信先の携帯電話端末の無線ＬＡＮインタフェースの起動状態を判定するステップと、
切換手段が、自機の無線ＬＡＮインタフェースが起動し、且つ、前記発信先の携帯電話端末の無線ＬＡＮインタフェースが起動している場合、前記無線ＬＡＮインタフェースによる発信に切り換えるステップと、
を含み、
前記切換手段は、前記起動有無判定手段により自機の無線ＬＡＮインタフェースの起動が確認され、且つ、前記起動状態判定手段により前記発信先の無線ＬＡＮインタフェースの起動が確認された場合、前記無線ＬＡＮインタフェースによる発信に切り換えるか否かを問うメッセージを表示し、前記表示されたメッセージに対してユーザ操作によって前記無線ＬＡＮインタフェースによる発信への切り換えが指示された場合、前記無線ＬＡＮインタフェースによる発信に切り換え、自機の無線ＬＡＮインタフェースの起動が確認されない場合、前記発信先の無線ＬＡＮインタフェースの起動が確認されない場合、及び前記表示されたメッセージに対してユーザ操作によって前期無線ＬＡＮインタフェースによる発信への切り換えが指示されない場合、前記携帯電話インタフェースが前記保留された発信を再開することを特徴とする電話制御方法。
【請求項５】
前記起動状態判定手段は、前記発信先の携帯電話端末に無線ＬＡＮインタフェースの起動状態を問い合わせることで前記発信先の無線ＬＡＮインタフェースの起動状態を判定することを特徴とする請求項４に記載の電話制御方法。
【請求項６】
前記起動状態判定手段は、発信処理時に、発信先の携帯電話端末の無線ＬＡＮインタフェースの起動状態を確認するか否かを問うメッセージを表示し、前記表示されたメッセージに対してユーザ操作によって前記発信先の無線ＬＡＮインタフェースの起動状態の確認が指示された場合、発信先の携帯電話端末の無線ＬＡＮインタフェースの起動状態を判定することを特徴とする、請求項４又は５に記載の電話制御方法。
【発明の詳細な説明】
【技術分野】
【０００１】
本発明は、携帯電話端末に関し、特に、無線ＬＡＮおよび携帯電話網の双方に接続可能な携帯電話端末に関する。
【背景技術】
【０００２】
従来、一般の携帯電話網を利用した通話機能に加え、無線ＬＡＮによる所謂ＩＰ電話の機能を具備する携帯電話端末が提案されている。一般に、携帯電話網を利用するよりもＩＰ電話のほうが通話料を安価に抑えられることから、携帯電話端末での通話に無線ＬＡＮを利用することへのニーズが高まっている。
【０００３】
ところで、無線ＬＡＮの通話機能を併せ持つ携帯電話端末を所持していても、無線ＬＡＮを利用するには、無線ＬＡＮサービスが提供される通信エリアに出向く必要がある。そのため、多くのユーザは、例えば予め通信エリアの所在を調べる、あるいは通信エリアを求めて現在地の周辺を探索することになる。
【０００４】
上記のようなユーザの不都合に鑑みた従来の技術として、例えば、後述の特許文献１に記載のものがある。同文献には、無線ＬＡＮシステム（ＷＬＡＮ）に携帯電話網システム（ＷＷＡＮ）の受信装置を配備し、ＷＷＡＮ及びＷＬＡＮと通信可能な携帯端末から発信されるＷＬＡＮとの通信電波をＷＷＡＮ受信装置により受信するという技術が記載されている。これにより、携帯端末がＷＬＡＮのサービスエリア内に存在することが、ＷＷＡＮ基地局を介してその携帯端末に通知される。
【先行技術文献】
【特許文献】
【０００５】
【特許文献１】特開２００４−２３７６８号公報
【発明の概要】
【発明が解決しようとする課題】
【０００６】
上記特許文献１に記載の技術によれば、携帯端末がホットスポットのようなＷＬＡＮの局所的な通信サービスエリアに存在することをユーザに通知することができる。しかしながら、そのためには、ＷＬＡＮシステムにＷＷＡＮ用の受信装置を繋ぎ込むといった大掛かりな設備が必要とされる。よって、より簡易に実現可能な技術が求められている。
【０００７】
本発明は、上記課題に鑑みてなされたものであり、携帯電話網及び無線ＬＡＮの通信機能を具備する携帯電話端末の利便性を高める技術を提供することを目的とする。
【課題を解決するための手段】
【０００８】
本発明に係る携帯電話端末は、携帯電話網に対する通話処理を実行する携帯電話インタフェースおよび無線ＬＡＮに対する通話処理を実行する無線ＬＡＮインタフェースを備える携帯電話端末であって、前記携帯電話インタフェースによる発信処理時に、一旦発信を保留し、前記無線ＬＡＮインタフェースの起動の有無を判定する起動有無判定手段と、発信先の携帯電話端末の無線ＬＡＮインタフェースの起動状態を判定する起動状態判定手段と、自機の無線ＬＡＮインタフェースが起動し、且つ、前記発信先の携帯電話端末の無線ＬＡＮインタフェースが起動している場合、前記無線ＬＡＮインタフェースによる発信に切り換える切換手段と、を有し、前記切換手段は、前記起動有無判定手段により自機の無線ＬＡＮインタフェースの起動が確認され、且つ、前記起動状態判定手段により前記発信先の無線ＬＡＮインタフェースの起動が確認された場合、前記無線ＬＡＮインタフェースによる発信に切り換えるか否かを問うメッセージを表示し、前記表示されたメッセージに対してユーザ操作によって前記無線ＬＡＮインタフェースによる発信への切り換えが指示された場合、前記無線ＬＡＮインタフェースによる発信に切り換え、自機の無線ＬＡＮインタフェースの起動が確認されない場合、前記発信先の無線ＬＡＮインタフェースの起動が確認されない場合、及び前記表示されたメッセージに対してユーザ操作によって前期無線ＬＡＮインタフェースによる発信への切り換えが指示されない場合、前記携帯電話インタフェースが前記保留された発信を再開することを特徴とする。
【０００９】
また、本発明に係る電話制御方法は、携帯電話網に対する通話処理を実行する携帯電話インタフェースおよび無線ＬＡＮに対する通話処理を実行する無線ＬＡＮインタフェースを備える携帯電話端末の制御方法であって、起動有無判定手段が、前記携帯電話インタフェースによる発信処理時に、一旦発信を保留し、前記無線ＬＡＮインタフェースの起動の有無を判定するステップと、起動状態判定手段が、発信先の携帯電話端末の無線ＬＡＮインタフェースの起動状態を判定するステップと、切換手段が、自機の無線ＬＡＮインタフェースが起動し、且つ、前記発信先の携帯電話端末の無線ＬＡＮインタフェースが起動している場合、前記無線ＬＡＮインタフェースによる発信に切り換えるステップと、を含み、前記切換手段は、前記起動有無判定手段により自機の無線ＬＡＮインタフェースの起動が確認され、且つ、前記起動状態判定手段により前記発信先の無線ＬＡＮインタフェースの起動が確認された場合、前記無線ＬＡＮインタフェースによる発信に切り換えるか否かを問うメッセージを表示し、前記表示されたメッセージに対してユーザ操作によって前記無線ＬＡＮインタフェースによる発信への切り換えが指示された場合、前記無線ＬＡＮインタフェースによる発信に切り換え、自機の無線ＬＡＮインタフェースの起動が確認されない場合、前記発信先の無線ＬＡＮインタフェースの起動が確認されない場合、及び前記表示されたメッセージに対してユーザ操作によって前期無線ＬＡＮインタフェースによる発信への切り換えが指示されない場合、前記携帯電話インタフェースが前記保留された発信を再開することを特徴とする。
【発明の効果】
【００１０】
本発明によれば、携帯電話網からの着信であっても、その発信元における無線ＬＡＮの起動状況を知ることができる。これにより、より安価な無線ＬＡＮによる通話に切り替え易くすることができる。
【図面の簡単な説明】
【００１１】
【図１】本発明の第１の実施形態の構成を示すブロック図である。
【図２】第１の実施形態における発信時の動作を示すフローチャートである。
【図３】第１の実施形態における着信時の動作を示すフローチャートである。
【図４】本発明の第２の実施形態の構成を示すブロック図である。
【図５】第２の実施形態における発信/着信時の動作を示すフローチャートである。
【図６】本発明の第３の実施形態の構成を示すブロック図である。
【図７】第３の実施形態における発信/着信時の動作を示すフローチャートである。
【発明を実施するための形態】
【００１２】
本発明の実施形態について図面を用いて詳細に説明する。図１に、本発明に係る携帯電話端末の第１の実施形態の構成を示す。本実施形態の携帯電話端末１０１は、操作キーやディスプレイ及びそれらの制御ソフトウェアを含むユーザインタフェース部２００と、無線ＬＡＮの通信処理を担う無線ＬＡＮインタフェース部２３０と、携帯電話網の通信処理を担う携帯電話網インタフェース部２４０と、これらのインタフェースを制御する制御部２１０とを備える。
【００１３】
また、携帯電話端末１０１は、無線ＬＡＮインタフェース部２３０及び携帯電話網インタフェース部２４０の起動の状態を判定する通信インタフェース状態判定部２０１を備える。
【００１４】
携帯電話網インタフェース部２４０は、通信相手となる端末との間で無線ＬＡＮインタフェース部２３０の起動状態に関する情報を授受する通信インタフェース状態送受信部２４１を有する。
【００１５】
なお、制御部２１０は、端末の省電力化を図るために、現在地が無線ＬＡＮの通信圏内から外れている場合は、無線ＬＡＮインタフェース部２３０を低電力にて動作させるよう制御する。すなわち、無線ＬＡＮ基地局からのビーコンの受信タイミング以外はスリープ状態とするよう無線ＬＡＮインタフェース部２３０を制御する。そして、ビーコンの受信成功により自端末が無線ＬＡＮの通信圏内に入ったことを検知したとき、無線ＬＡＮインタフェース部２３０を間欠動作から連続動作へ移行させる。
【００１６】
図２に示すフローチャートを参照して、携帯電話端末１０１の発信動作について説明する。携帯電話端末１０１は、ユーザ操作に基づく携帯電話網への発信指示がユーザインタフェース部２００により入力されると（ステップＳ１）、携帯電話網インタフェース部２４０の通信インタフェース状態送受信部２４１が起動する。
【００１７】
通信インタフェース状態送受信部２４１は、通信インタフェース状態判定部２０１に対し、無線ＬＡＮインタフェース部２３０の起動の状態を問い合わせる。その結果、無線ＬＡＮインタフェース部２３０が非起動状態である場合（ステップＳ２：No）、携帯電話網インタフェース部２４０が、通話相手の端末に対する発信処理を通常どおり実行する（ステップＳ３）。
【００１８】
一方、無線ＬＡＮインタフェース部２３０が現時点で起動状態である場合（ステップＳ２：Yes）、携帯電話網インタフェース部２４０は、通話相手の端末に対する発信処理を行いつつ、通信インタフェース状態送受信部２４１により、自端末の無線ＬＡＮインタフェース部２３０が起動状態にある旨を通知する処理を行う（ステップＳ４）。その処理には、次のような形態がある。
【００１９】
無線ＬＡＮインタフェース部２３０の起動状態に関する通知形態の一つは、発信時に通信相手へ送信する信号に、携帯電話網に関する自端末の電話番号に併せて、無線ＬＡＮの電話番号を記述するという形態である。この場合、例えば、携帯電話網の自己アドレスに続けて無線ＬＡＮの電話番号を記述すればよい。
【００２０】
また、発信時の信号に付加ダイヤル（追加ダイヤル）として、無線ＬＡＮの電話番号を記述するという形態であってもよい。さらにまた、所定の音声ガイダンス、トーン信号、或いは、着信メロディ等を送信することにより、自端末の無線ＬＡＮインタフェース部２３０が起動状態にあることを通知してもよい。
【００２１】
なお、上記手順では、無線ＬＡＮインタフェース部２３０が起動状態にあるときのみ、それを通信相手に通知するが、より詳細な起動状態や、非起動状態も通知するようにしてもよい。その場合、例えば、発信時の信号に設定する自端末の電話番号の直後に、所定の値を付加する。具体的には、電話番号の直後に付加する値が「１」の場合は“無線ＬＡＮ：起動状態”を表し、「２」の場合は“無線ＬＡＮ：起動状態かつＶｏＩＰサーバ認証済み”を表し、そして「０」の場合は“無線ＬＡＮ：非起動状態”を表すといった規定を設ける。
【００２２】
次に、図３に示すフローチャートを参照して、携帯電話端末１０１の着信時の動作について説明する。携帯電話端末１０１の携帯電話網インタフェース部２４０は、通話の着信を検知すると（ステップＳ１１）、通信インタフェース状態送受信部２４１が、その受信信号から、発信元における無線ＬＡＮインタフェース部２３０の状態に関する情報を検出する（ステップＳ１２）。この情報とは、前述した無線ＬＡＮの電話番号等である。
【００２３】
その結果、発信元の端末にて無線ＬＡＮインタフェース部２３０が起動状態であることを認識した場合（ステップＳ１３：Yes）、携帯電話端末１０１は、その旨をユーザインタフェース部２００により画面表示する（ステップＳ１４）。具体的には、例えば、「現在、この発信元の無線ＬＡＮ機能は有効です。」等、発信元が無線ＬＡＮを利用可能か否かについて通知する内容を適宜表示する。
【００２４】
上記のような画面表示により、その携帯電話端末１０１のユーザは、発信元が無線ＬＡＮを利用可能な状態であることを直ちに把握することができる。そして、無線ＬＡＮによる通話を希望する場合、ユーザは、着信した通話を一旦切断し、自端末の無線ＬＡＮインタフェース部２３０に発信指示を出す。すなわち、先の発信元に対し、無線ＬＡＮにより電話を掛け直す。
【００２５】
上記実施形態によれば、携帯電話網からの着信であっても、その発信元における無線ＬＡＮの起動状況を知ることができる。これにより、より安価な無線ＬＡＮによる通話に切り替え易くすることができる。
【００２６】
図４に、本発明に係る携帯電話端末の第２の実施形態の構成を示す。本実施形態の携帯電話端末１０２は、ユーザインタフェース部２００、通信インタフェース状態判定部２０１、制御部２１０、無線ＬＡＮインタフェース部２３０及び携帯電話網インタフェース部２４０に加え、インターネットの接続処理を担うＷＥＢインタフェース部２５０を備える。
【００２７】
本実施形態の通信インタフェース状態送受信部２４１は、無線ＬＡＮの利用の可否に関する予め設定された内容の通信メッセージを発信処理時にＷＥＢインタフェース部２５０を介して送信する。この通信メッセージは、ＷＥＢを用いたいわゆるショートメッセージあるいはチャットのような、従来知られたデータ通信機能を利用する。
【００２８】
図５のフローチャートを参照して、携帯電話端末１０２の動作手順について説明する。なお、以下の説明では、通話の発信側および着信側の双方が携帯電話端末１０２の機能を具備するものとし、両者間の交信をふまえた動作手順を記載する。
【００２９】
発信側の携帯電話端末１０２は、ユーザ操作に基づく携帯電話網への発信指示がユーザインタフェース部２００により入力されると（ステップＳ２１）、携帯電話網インタフェース部２４０が、実際の発信を保留し、通信インタフェース状態送受信部２４１を起動する。
【００３０】
起動した通信インタフェース状態送受信部２４１は、今回の通話における着信側となる端末に対し、その無線ＬＡＮインタフェース部２３０の起動状況を問い合わせる前述のショートメッセージのような通信メッセージをＷＥＢインタフェース部２５０を介して送信する（ステップＳ２２）。
【００３１】
着信側の携帯電話端末１０２は、発信側からの上記通信メッセージを受信すると、それが無線ＬＡＮの問い合わせに関する規定のメッセージであるか否かを通信インタフェース状態送受信部２４１が判定する。判定の結果、規定のメッセージでない場合は（ステップＳ２４：No）、一般の通信メッセージとして処理する。
【００３２】
また、判定の結果、規定のメッセージである場合は（ステップＳ２４：Yes）、通信インタフェース状態判定部２０１により自端末の無線ＬＡＮインタフェース部２３０の状況を判定する（ステップＳ２５）。そして、通信インタフェース状態送受信部２４１が、判定の結果を記述した通信メッセージを発信側の端末へ送信する（ステップＳ２６）。
【００３３】
発信側の携帯電話端末１０２は、着信側から上記通信メッセージを受信すると（ステップＳ２７）、問い合わせに対する回答内容を確認する。その結果、現時点で着信側にて無線ＬＡＮが利用可能でない場合は（ステップＳ２８：No）、保留していた携帯電話網インタフェース部２４０による発信処理を再開し、携帯電話網を経由した発信を行う（ステップＳ２９）。
【００３４】
一方、着信側にて無線ＬＡＮが利用可能である場合（ステップＳ２８：Yes）、通信インタフェース状態送受信部２４１は、今回の発信に用いる通信網を携帯電話網から無線ＬＡＮに切り替えるか否かを問う画面を表示する（ステップＳ３０）。画面としては、例えば、「現在、この発信先の無線ＬＡＮ機能は有効です。発信を無線ＬＡＮに切り替えますか？」といった内容を表示する。
【００３５】
その結果、ユーザインタフェース部２００により、無線ＬＡＮを使用しない旨が入力された場合は（ステップＳ３１：No）、携帯電話網インタフェース部２４０による発信処理を継続する（ステップＳ２９）。
【００３６】
また、無線ＬＡＮを使用する旨が入力された場合は（ステップＳ３１：Yes）、携帯電話網インタフェース部２４０の処理を中止し、発信処理を無線ＬＡＮインタフェース部２３０により実行する（ステップＳ３２）。これにより、今回の発信が無線ＬＡＮ経由で行われる。
【００３７】
上記第２の実施形態によれば、着信側における無線ＬＡＮの起動状況を実際の発信に先立ち確認することができる。これにより、着信側から無線ＬＡＮにて電話を掛け直すことは不要となることから、利便性が一層高められる。
【００３８】
上記実施形態では、発信処理時に通信メッセージの送信を自動的に実行したが、メッセージの送信は、その要否をユーザに確認したうえで実行するようにしてもよい。すなわち、発信指示があったとき、例えば「発信先の無線ＬＡＮ機能を確認しますか？」等を画面表示し、「確認する」との入力があった場合に、通信メッセージを送信するというものである。
【００３９】
また、メッセージによる問い合わせの結果、着信側にて無線ＬＡＮが使用可能である場合、上記実施形態では通信網の切り替えの要否をユーザに確認したが、この確認を省略し、自動的に無線ＬＡＮによる発信に切り替えるようにしてもよい。
【００４０】
図６に、本発明に係る携帯電話端末の第３の実施形態の構成を示す。本実施形態の携帯電話端末１０３は、図１に示す前述の携帯電話端末１０１と同様に、ユーザインタフェース部２００、通信インタフェース状態判定部２０１、制御部２１０、無線ＬＡＮインタフェース部２３０及び携帯電話網インタフェース部２４０を備える。
【００４１】
本実施形態の無線ＬＡＮインタフェース部２３０は、無線ＬＡＮによる接続履歴を記録する履歴記録部２３１と、無線ＬＡＮによる発信時に後述のタイマ処理を行うタイマ部２３２とを有する。履歴記録部２３１は、無線ＬＡＮによる発信ごとに、その発信先との接続が成功したか否かを示す情報を記録する。
【００４２】
図７に示すフローチャートを参照して、携帯電話端末１０３の動作について説明する。携帯電話端末１０３は、ユーザインタフェース部２００から携帯電話網への発信指示が入力されると（ステップＳ４１）、制御部２１０は、携帯電話網へ発信を保留し、無線ＬＡＮインタフェース部２３０の履歴記録部２３１を参照する。そして、今回の発信先が、過去に無線ＬＡＮ接続が成功した発信先か否かを判定する（ステップＳ４２）。この判定にあたっては、例えば過去１週間や１ヶ月等、判定対象となる期間を予め設定しておくことにより、処理の迅速化を図ることができる。
【００４３】
上記判定の結果、過去における無線ＬＡＮ接続が失敗である場合、あるいは、対象の発信先の履歴がない場合は、保留していた携帯電話網の発信処理を実行する（ステップＳ４３）。その後の動作は、前述の実施形態のもの（図２：ステップＳ１〜、又は、図５：ステップＳ２１〜）としてもよい。
【００４４】
一方、今回の発信先が過去に無線ＬＡＮ接続に成功している場合、保留していた携帯電話網への発信を取りやめ、無線ＬＡＮインタフェース部２３０が発信処理を実行する（ステップＳ４４）。このとき、無線ＬＡＮインタフェース部２３０は、タイマ部２３２により、所定期間のタイマ処理を開始する（ステップＳ４５）。
【００４５】
その後、タイマが満了するまでに無線ＬＡＮの応答を検知した場合（ステップＳ４６：Yes）、タイマ処理をキャンセルし、無線ＬＡＮによる通話処理へ移行する（ステップＳ４７）。また、発信に対する応答が無いままタイマ処理が満了した場合は（ステップＳ４８：Yes）、無線ＬＡＮでの発信処理を中止し、携帯電話網の発信処理に切り替える（ステップＳ４９）。
【００４６】
以上説明した携帯電話端末１０３によれば、より安価な無線ＬＡＮを優先的に利用するよう制御することができ、また、無線ＬＡＮの利用可否に関する通話相手への確認が省略される分、より迅速に通話を開始することができる。
【００４７】
上記実施形態では、無線ＬＡＮの起動状況の問い合わせを着信側の端末に対し行ったが、問合せ先は、例えば、着信側の端末が収容されるＰＢＸやプロキシサーバ等、端末以外の装置であってもよい。
【符号の説明】
【００４８】
１０１、１０２  携帯電話端末
２００  ユーザインタフェース部
２０１  通信インタフェース状態判定部
２１０  制御部
２３０  無線ＬＡＮインタフェース部
２３１  履歴記録部
２３２  タイマ部
２４０  携帯電話網インタフェース部
２４１、２４１  通信インタフェース状態送受信部
２５０  ＷＥＢインタフェース部
【図１】
0005508374.tif 000002
【図２】
0005508374.tif 000003
【図３】
0005508374.tif 000004
【図４】
0005508374.tif 000005
【図５】
0005508374.tif 000006
【図６】
0005508374.tif 000007
【図７】
0005508374.tif 000008